(57)【特許請求の範囲】
【請求項１】
トイレ内に設けられ、一端側で手洗い器などの重量物を支持するカウンターにおいて、このカウンターは物を載せるプレートとトイレの壁面に固定されるブラケットとが一体化してなり、更に前記ブラケットは金属製ブラケットと樹脂製ブラケットが長さ方向に連続し、前記金属製ブラケットによって重量物を載置する側のプレートを支持することを特徴とするカウンター。
【請求項２】
請求項１に記載のカウンターにおいて、前記金属製ブラケットと樹脂製ブラケットは何れも端面形状が同一形状のアングル状をなすことを特徴とするカウンター。
【請求項３】
請求項１または請求項２に記載のカウンターを組み込んだトイレにおいて、前記カウンターは大便器の側方の奥行き方向に沿って配置され、且つ側面視で少なくとも大便器の先端部に相当する位置よりも前方部分のプレートを前記金属製ブラケットによって支持することを特徴とするトイレ。
【発明の詳細な説明】
【技術分野】
【０００１】
本発明は、トイレ内に組み込まれるカウンターおよびこのカウンターを組み込んだトイレに関する。
【背景技術】
【０００２】
石鹸、消臭剤、化粧品或いは予備のトイレットペーパなどの小物を置いておくカウンターがトイレ内には設けられている。
このようなカウンターは現場においてトイレ内に組みつけられる場合が多く、このため多くのタイプのトイレに適合すべく、カウンターの長さを長く設定しておき、現場に置いて設置箇所に合わせて切断するようにしている。
【０００３】
例えば、特許文献１には、現場において簡単にカウンターを切断できるように、カウンターの一端側に凹条もしくは空洞を設けることで、切断の際の抵抗を小さくして簡単に切断できるようにしつつ強度を維持する構造が提案されている。
【０００４】
【特許文献１】特開２００３−３２５３８４号公報
【発明の開示】
【発明が解決しようとする課題】
【０００５】
特許文献１のカウンターは間口方向に沿って取り付けられるカウンターであり、この方向のカウンターには通常それほど大きな力は作用しない。しかしながらトイレの奥行き方向に沿って配置したカウンターには大きな力が作用することを想定しなければならない。即ち、大便器から使用者が立ち上がる際に、カウンターはちょうどよい高さにあるため、体重を支えるために肘をカウンターに乗せて立ち上がることが考えられる。このような場合には１枚の板材だけでは支えきれないため、ブラケットを壁面に固定し、このブラケットに板材を支持しなければならない。
また、カウンターの一端側に手洗い器等の重量物を配置した場合には、やはりブラケットによってカウンターを支えなければならない。
【０００６】
ブラケットは荷重を支えるためのものであり、一般的には金属製である。このブラケットとしてトイレの奥行き方向の長さが短いＬ字状のものを用いた場合には、十分な強度が得られないことがあり、また図６に示したように、部分的にカウンターを支えることも考えられるが、これだと見栄えが悪くなる。
【０００７】
そこでブラケットをカウンターとなる板材と同じ長さとして一体化し、これを現場で必要な長さに切断することが考えられる。しかしながら、前記したようにブラケットは金属製であるので、切断に手間がかかり、施工性が悪くなる。
【課題を解決するための手段】
【０００８】
上記課題を解決するため本発明に係るカウンターは、トイレ内に設けられ、一端側で手洗い器などの重量物を支持するカウンターであって、このカウンターは物を載せるプレートとトイレの壁面に固定されるブラケットとが一体化してなり、更に前記ブラケットは金属製ブラケットと樹脂製ブラケットが長さ方向に連続し、前記金属製ブラケットによって重量物を載置する側のプレートを支持する構成とした。
上記構成とすることで、樹脂製ブラケットが設けられている部分の任意の位置において簡単に切断することができ、現場での施工性が高まる。また、必要な強度は金属製ブラケットにて確保することができる。
【０００９】
前記金属製ブラケットと樹脂製ブラケットは何れも端面形状が同一形状のアングル状とすることで意匠性にも優れる。尚、同一色調とすれば統一性がとれ好ましい。
【００１０】
また、本発明には上記カウンターを組み込んだトイレも含まれる。このトイレは、前記カウンターが大便器の側方の奥行き方向に沿って配置され、且つ側面視で少なくとも大便器の先端部に相当する位置よりも前方部分のプレートを前記金属製ブラケットによって支持している。
このようにすることで、大便器から使用者が立ち上がる際に、カウンターに体重をかけてもそれに耐えることができる。
【発明の効果】
【００１１】
本発明に係るカウンターは、長さ方向の全長に亘ってブラケットが一体的に設けられ、このブラケットは金属製ブラケットと樹脂製ブラケットが連続しているため、金属製ブラケットにて支持する部分に重量物を載せることができ、また連続したブラケットの一部が樹脂製のブラケットになっているので、この部分で切断することで簡単に長さ調整が行える。
【００１２】
また、金属製ブラケットと樹脂製ブラケットが連続し且つ同一色調であると見栄えがよい。
【発明を実施するための最良の形態】
【００１３】
以下に本発明の実施例を添付図面に基づいて説明する。図１は本発明に係るカウンターを適用したトイレの斜視図、図２は同トイレの平面図、図３は同トイレの側面図、図４はカウンターの全体斜視図、図５はカウンターの側面図である。
【００１４】
トイレは床面１上に大便器２が設置され、大便器２の右側の壁面３に手洗器４と手洗器キャビネット５が固定され、この手洗器キャビネット５と背面側の壁面６との間にカウンター７が設けられている。
【００１５】
カウンター７は物を載せるプレート８と壁面３にビスを介して固定されるブラケット９とが一体化している。一体化する手段としては接着剤もしくはビスを用いる。
【００１６】
プレート８は木製、樹脂製、人口大理石など容易に切断可能な材料からなり、このプレート８の一端は前記手洗器キャビネット５の天板を兼ね、この上に前記手洗器４が配置され、この手洗器４からの排水管が通る穴８ａがプレート８の一端に形成されている。また、プレート８の他端は背面側の壁面６に突き当てられている。
【００１７】
一方、ブラケット９はステンレス或いはアルミなどを材料とする金属製ブラケット１０とポリプロピレン、ＡＢＳ、ポリ塩化ビニルなどを材料とする樹脂製ブラケット１１が長さ方向に連続して構成されている。
【００１８】
前記金属製ブラケット１０と樹脂製ブラケット１１はいずれも端面がアングル状をなし、同一色調とすることで両者の境目が目立たないようにしている。尚、境目を目立たなくするには、塗料を塗布してもよい。
【００１９】
前記金属製ブラケット１０と樹脂製ブラケット１１の割合は、図３に示すように、大便器２の先端部に相当する位置よりも前方部分を前記金属製ブラケット１０とする。大便器２の先端部に相当する位置よりも前方部分は使用者が便器から立ち上がる際に腕を置いて体重をかける箇所であり、この部分を金属製ブラケット１０で支持すれば、強度的に十分である。
【００２０】
以上において、カウンター７をトイレに組み込むには、図４に示すように、ノコギリを用いて所定の寸法になるように樹脂製ブラケット１１の部分においてカウンター７を切断し、これをトイレの側壁６に金属製ブラケット１０および残った樹脂製ブラケット１１を介して固定する。
【図面の簡単な説明】
【００２１】
【図１】本発明に係るカウンターを適用したトイレの斜視図
【図２】同トイレの平面図
【図３】同トイレの側面図
【図４】カウンターの全体斜視図
【図５】カウンターの側面図
【図６】ブラケットとして好ましくない使用例を説明した図
【符号の説明】
【００２２】
１…床面、２…大便器、３…右側の壁面、４…手洗器、５…手洗器キャビネット、６…背面側の壁面、７…カウンター、８…物を載せるプレート、８ａ…排水管が通る穴、９…ブラケット、１０…金属製ブラケット、１１…樹脂製ブラケット。
【図１】
0004548255.tif 000002
【図２】
0004548255.tif 000003
【図３】
0004548255.tif 000004
【図４】
0004548255.tif 000005
【図５】
0004548255.tif 000006
【図６】
0004548255.tif 000007